(57)【要約】【課題】生ゴミや濡れたゴミの水分を良好に取り除くことができ、ゴミを良好に処理できるキッチン掃除脱水機を提供する。【解決手段】排水口３ｂが開口されたケース体３内に、モーター１０により高速回転されるゴミ籠４とファン１３を上下に同軸状に設け、ファン１３の高速回転により空気をケース体３の内周面３ａに沿って排水口３ｂへ押し出すことができるように構成する。【選択図】図７
2011031015.tif 000002
【特許請求の範囲】
【請求項１】
排水口が開口されたケース体と、該ケース体内に装着されてモーターにより高速回転される通水性のゴミ籠と、該ゴミ籠の外周に突設されて該ゴミ籠の回転により空気を前記ケース体の内周に沿って前記排水口へ押し出すことのできる羽根を備えていることを特徴とするキッチン掃除脱水機。
【請求項２】
排水口が開口されたケース体内に、モーターにより高速回転されるゴミ籠とファンを上下に同軸状に設け、該ファンの高速回転により空気を前記ケース体の内周に沿って前記排水口へ押し出すことができるように構成したことを特徴とするキッチン掃除脱水機。
【請求項３】
前記ケース体内に連通するホースを設け、該ホースを通し前記ケース体内に空気が吸い込まれるように構成したことを特徴とする請求項１または請求項２に記載のキッチン掃除脱水機。
【請求項４】
前記モーターから前記ゴミ籠に伝達される回転力を遮断できるクラッチ手段を設け、ゴミ籠内に収納されたゴミの脱水時には前記ゴミ籠と前記ファンが回転され、前記ケース体内への空気の吸い込み時には前記クラッチ手段を介し前記ゴミ籠は回転せず前記ファンのみが回転されるように構成したことを特徴とする請求項２または請求項３に記載のキッチン掃除脱水機。
【発明の詳細な説明】
【技術分野】
【０００１】
本発明は、キッチン内で発生する生ゴミや濡れたゴミの水分を良好に取り除くことができ、ゴミを良好に処理できるキッチン掃除脱水機に関するものである。
【背景技術】
【０００２】
従来、特許文献１に開示されているように、流し台の排水口に取り付けた排水受けケース内に、通水性のゴミ籠を装着させて、このゴミ籠をモーターにより回転させることで、ゴミ籠内のゴミの水分を遠心力により脱水できるように構成した流し台のゴミ受け装置が存在する。
また、特許文献２に開示されているように、流し台のカウンタートップの下に掃除機ユニットを設け、掃除機ユニットの収納室からホースを取り出し、ホースを差込口に差し込んで、流し台で調理する時に発生する食品屑や散乱した調味料や小麦粉等のゴミを吸引して掃除することができるように構成した掃除機付き流し台が存在する。
【先行技術文献】
【特許文献】
【０００３】
【特許文献１】特開平５−３８４７２号公報
【特許文献２】特開２０００−３４２３６３号公報
【発明の概要】
【発明が解決しようとする課題】
【０００４】
上記特許文献１に開示されている流し台のゴミ受け装置では、ゴミ籠を回転させて遠心力のみでゴミの脱水を行うものであり、脱水能力には限界があった。
また、上記特許文献２に開示されている掃除機付き流し台は、掃除機ユニットを流し台に付設しただけの構造であった。
【課題を解決するための手段】
【０００５】
本発明は、生ゴミや濡れたゴミの水分を効率良く取り除くことができ、また、キッチンのカウンター上の水等を良好に吸い取ることのできるキッチン掃除脱水機の提供を目的とし、この目的の少なくとも一部を達成するために以下の手段を採った。
本発明のキッチン掃除脱水機は、排水口が開口されたケース体と、該ケース体内に装着されてモーターにより高速回転される通水性のゴミ籠と、該ゴミ籠の外周に突設されて該ゴミ籠の回転により空気を前記ケース体の内周に沿って前記排水口へ押し出すことのできる羽根を備えていることを要旨とする。
【発明の効果】
【０００６】
本発明のキッチン掃除脱水機では、ケース体内に装着されたゴミ籠がモーターにより高速回転されることで、遠心力によりゴミ籠内の生ゴミや濡れたゴミの水分を取り除くことができ、また同時に、ゴミ籠の回転とともに高速回転する羽根により空気をケース体の内周に沿って排水口へ押し出して、発生した空気の流れで効率的に排水口へ水分を排出することができ、水分を確実に効率良く取り除くことができるものとなる。
【０００７】
また、本発明のキッチン掃除脱水機は、排水口が開口されたケース体内に、モーターにより高速回転されるゴミ籠とファンを上下に同軸状に設け、該ファンの高速回転により空気を前記ケース体の内周に沿って前記排水口へ押し出すことができるように構成したことを要旨とする。
本発明のキッチン掃除脱水機では、ケース体内に装着されたゴミ籠がモーターにより高速回転されることで、遠心力によりゴミ籠内の生ゴミや濡れたゴミの水分を取り除くことができ、また同時に、高速回転するファンにより空気をケース体の内周に沿って排水口へ押し出し、発生した空気の流れで効率良く水分を排出して、ゴミの水分を高効率で除去できるものとなる。
【０００８】
また、本発明のキッチン掃除脱水機において、前記ケース体内に連通するホースを設け、該ホースを通し前記ケース体内に空気が吸い込まれるように構成することもできる。
こうすれば、ケース体内で高速回転される羽根やファンにより、ケース体内の空気が排水口に押し出されると、ケース体内は負圧状態になり、ホースを通してケース体内に空気が良好に吸い込まれることとなり、ホースの先端をキッチンのカウンター上等の水或いはゴミに近づけることで、これらの水やゴミを良好にホースを通してゴミ籠内に吸い込むことができ、カウンター上の水やゴミ等の処理を良好に行うことができるものとなる。
【０００９】
また、本発明のキッチン掃除脱水機において、前記モーターから前記ゴミ籠に伝達される回転力を遮断できるクラッチ手段を設け、ゴミ籠内に収納されたゴミの脱水時には前記ゴミ籠と前記ファンが回転され、前記ケース体内への空気の吸い込み時には前記クラッチ手段を介し前記ゴミ籠は回転せず前記ファンのみが回転されるように構成することもできる。
こうすれば、クラッチ手段を介してモーターの回転力を遮断すれば、ゴミ籠は回転されずにファンのみが回転されて、ファンの高速回転により効率良くゴミ等を吸引することができ、キッチン周辺の掃除がしにくい部分などのゴミや水分を吸引できるものとなる。なお、ファンの高速回転により発生する空気の流れがゴミ籠の内部を通るため、吸引したゴミを確実にゴミ籠内に捕集できるものとなる。
【図面の簡単な説明】
【００１０】
【図１】第１実施例のキッチン掃除脱水機の縦断面概略構成図である。
【図２】外周に羽根を突出させたゴミ籠の概略構成図である。
【図３】図２のゴミ籠の底面概略構成図である。
【図４】ケース体の形状を変更させたキッチン掃除脱水機の縦断面概略構成図である。
【図５】図４のケース体内にゴミ籠が配設された状態の水平断面構成図である。
【図６】さらにホースを接続した変更例のキッチン掃除脱水機の外観構成図である。
【図７】第２実施例のキッチン掃除脱水機の縦断面概略構成図である。
【図８】図７におけるファンの部分の拡大図である。
【図９】図８のファンの平面拡大構成図である。
【図１０】ファンの羽根部分の水平断面拡大構成図である。
【図１１】モーターの回転軸の上端部分の拡大構成図である。
【図１２】図１１の回転軸の上端部分の平面拡大構成図である。
【図１３】クラッチ手段を構成するゴミ籠の底に設けられた籠底部材の拡大構成図である。
【図１４】図１３の籠底部材の底面拡大構成図である。
【図１５】図１３の籠底部材の縦断面構成図である。
【図１６】クラッチ手段を構成するレバーを操作して吸引時にゴミ籠を持ち上げた状態のキッチン掃除脱水機の縦断面構成図である。
【図１７】クラッチ手段の変更例を示すゴミ籠の部分を底側から視た底面構成図である。
【図１８】回転方向を変えた吸引時の図１７に対応した底面構成図である。
【発明を実施するための形態】
【００１１】
次に、本発明を実施するための形態を実施例を用いて説明する。
【実施例１】
【００１２】
図１は、掃除脱水機の縦断面概略構成図である。
掃除脱水機１は、キッチンのカウンター上等に置くことのできる脚状に形成された機台２に、有底筒状のケース体３が一体化されており、このケース体３の底面側には外側へ突出して排水口３ｂが開口されている。
【００１３】
ケース体３内には通水性のゴミ籠４が装着されており、このゴミ籠４内に、生ゴミ或いは濡れたゴミＤを入れることができる。このゴミ籠４の底面には上方へ凹ませて嵌合凹部４ａが形成されており、この嵌合凹部４ａには回転軸９が着脱可能に嵌合されるものであり、回転軸９の下端は機台２内に配設されたモーター１０の駆動軸に連結されている。また、モーター１０には１００ボルト電源コンセントに差し込み可能にコンセントプラグ１１が設けられている。
【００１４】
なお、ケース体３内に装着されるゴミ籠４の上面には支持棒６と固定板７が横設され、この固定板７の中央部には、上面の蓋８から垂設された回転軸８ａが挿着されている。
本例では、ゴミ籠４には、図２および図３に示すように、その外周に複数枚の羽根５，５，５が間隔をおいて外側へ突出形成されている。
【００１５】
このような掃除脱水機１において、蓋８を閉めたままで、蓋８に設けられている図示しない孔を通し、上方から生ゴミ或いは濡れたゴミ等を内部のゴミ籠４内に投入することができ、ゴミ籠４内には予め支持棒６に支持させて不織布製の袋等を入れておけば、不織布製の袋内に生ゴミ，濡れたゴミＤを投入することができるものである。
この状態でコンセントプラグ１１をコンセントに差し込んでモーター１０を駆動させることで、回転軸９を介してゴミ籠４をケース体３内で高速回転させることができる。例えば、ゴミ籠４を３０００ｒ．ｐ．ｍ以上の高速で回転させ、内部に入れられた生ゴミ，濡れたゴミＤの水分を遠心力でゴミ籠４から外側へ飛び散らせることができる。
【００１６】
また、この時に、ゴミ籠４とともに高速で複数枚の羽根５が回転するために、羽根５の回転により、ケース体３内の空気は、ケース体３の内周面３ａに沿う空気の流れとなって底側の排水口３ｂから外側へ押し出され、このケース体３内で発生する空気の流れにより、ケース体３内の水分を確実に排出させることができ、遠心力と空気の流れにより効率良く生ゴミ，濡れたゴミＤの水分を取り除くことができるものとなる。
水分が取り除かれたゴミは乾いた状態であり、その状態で、蓋８を開けてゴミ籠４内のゴミを手で摘んでも不快感はなく、ストレスなくゴミを掴んでゴミの処理を良好に行うことができるものとなる。
【００１７】
なお、図４の縦断面概略構成図で、また図５の水平断面構成図で示すものは、変更例であり、この図４および図５では、排水口３ｂに向かうにつれて直径が拡径するシロッコファン形状の内周面３ａを有するケース体３としたものであり、このケース体３の内側には、図１と同様にゴミ籠４が装着され、このゴミ籠４の外周には複数枚の羽根５が突出されており、モーター１０の回転により回転軸９を介してゴミ籠４および羽根５がケース体３内で高速回転されるように構成したものである。
【００１８】
このような構造では、複数枚の羽根５の高速回転により、ケース体３の内周面３ａに沿って排水口３ｂ側へ空気が効率良く誘導されて、排水口３ｂに向かう空気の流れをケース体３内に効率良く生成させることができるものとなり、ゴミ籠４から遠心力で外側へ飛び散ったゴミ中の水分を、空気の流れにより効率的に排水口３ｂに誘導して効率良く排水し、ゴミ籠４内のゴミの水分を確実に取り除くことができるものとなる。
【００１９】
次に、図６の外観図で示すものは、蓋８の中央部に形成されている図示しない孔に上方側からホース１２を接続して、このホース１２により外気とケース体３内を連通させるように構成したものである。
前述した如く、ケース体３内でゴミ籠４および羽根５が高速回転されることで、ケース体３内の空気は排水口３ｂから効率良く排出されてゆくが、ケース体３内が負圧状態となることでホース１２を通り外気がケース体３内に吸い込まれてゆくこととなる。
【００２０】
即ち、ケース体３の内周３ａに沿って排水口３ｂから外部へ排出される空気の量に相当する量の空気がホース１２を通りケース体３内に吸い込まれることとなる。そのため、ホース１２の上端の自由端を、例えばキッチンのカウンター上に残っている水に近づけることで、カウンター上の残水を良好にホース１２を通してゴミ籠４内に吸い取ることができ、また、カウンター上に残っている食品屑や散乱した調味料や小麦粉等のゴミを、ホース１２を通してゴミ籠４内に吸い取ることができ、キッチンの掃除機としても機能させることができるものとなる。
【００２１】
なお、本例の掃除脱水機１は、キッチンのカウンター上等のキッチン内のどのような場所にも置いて使用することができるものであり、コンパクトな構造を呈して邪魔になることがなく、生ゴミや濡れたゴミの水分を効率良く取り除いて、手で掴んでもストレスを感じない乾いたゴミを良好に生成させることができ、また同時に、カウンター上等のゴミを吸い込む掃除機としても使用することができるものである。
【実施例２】
【００２２】
次に、第２実施例のキッチン掃除脱水機の縦断面概略構成図を図７に示す。
この掃除脱水機１は、機台２上に有底筒状のケース体３が一体化されており、ケース体３の底側には、ケース体３の内周面３ａの接線方向に排水口３ｂが開口されている。
ケース体３内には、全面に通水孔が形成された有底筒状のゴミ籠４が装着されており、このゴミ籠４内には、予め不織布製のゴミ袋が内周に配置され、その中に生ゴミや濡れたゴミＤを収納できるものである。
【００２３】
このゴミ籠４の底面中央部には、クラッチ手段を構成する籠底部材１４が固設されており、この籠底部材１４の中心部に、後述するアーム９ａ等により係脱可能に回転軸９が連結されている。
また、籠底部材１４の下方の回転軸９の外周にはファン１３が水平面内で回転可能に設けられている。このファン１３は、ケース体３内の底側に、排水口３ｂと略同一の高さ位置に配設されたものである。
なお、前記ゴミ籠４とファン１３の中心位置に、モーター１０により回転される前記回転軸９が配置されて、回転軸９と同軸状にゴミ籠４とファン１３が上下に配置されている。
回転軸９の下端は、機台２内に配設されたモーター１０の駆動軸に連結され、このモーター１０はコンセントプラグ１１を介して１００ボルト電源に接続されるものである。
【００２４】
ケース体３内に装着されたゴミ籠４の上面には固定板７が横設されており、この固定板７には、ベアリング８ｃ，８ｃ，８ｃ，８ｃが嵌め込まれるリング状の溝を有する平面視二重リング状のガイドリング１５が取り付けられている。
ケース体３の上面に開閉可能に覆設された蓋８には、平面視等間隔で４本の支持軸８ｂ，８ｂ，８ｂ，８ｂが垂設され、各支持軸８ｂの下端にそれぞれベアリング８ｃが設けられており、この４個のベアリング８ｃ，８ｃ，８ｃ，８ｃが、ゴミ籠４側に固定されたガイドリング１５のリング状の溝内に回転可能に嵌め込まれている。
平面視等間隔で設けられた４個のベアリング８ｃ，８ｃ，８ｃ，８ｃがガイドリング１５内に回転可能に嵌め込まれることで、ゴミ籠４が高速回転された時のゴミ籠４の暴れを防ぐことができるように構成されている。
【００２５】
固定板７の左右両端側の下方には、それぞれ押し上げバー１７が縦方向に配設されており、左右の各押し上げバー１７の下端は、水平にケース体３の外側へ突出して設けられた左右のレバー１６，１６に連繋されている。
なお、蓋８は、その中央部にホース１２が差し込まれており、ホース１２はケース体３内のゴミ籠４の中央上面側に開口された状態で配置されている。
【００２６】
図８〜図１０は、ファン１３の構造を拡大して示すものであり、図９は、ファンの平面拡大図であり、図１０は、ファンの羽根部分の水平断面拡大構成図である。
【００２７】
ファン１３は、平行状に水平に設けられた上円板１３ａと下円板１３ｂ間に複数枚の羽根１３ｃ，１３ｃ，１３ｃが平面視風車状に設けられ、下円板１３ｂの中央部に回転軸９が固定され、回転軸９は上円板１３ａの中央部の開口を貫いて立設されている。
ファン１３の上円板１３ａの上方は、外周から中心に向かって上傾する上傾斜面１３ｄとなっており、上端中央部には上面開口１３ｅが開口されている。この上面開口１３ｅの中央部に回転軸９が配設されて、回転軸９は上方へ突出されている。
【００２８】
なお、図１１〜図１５は、回転軸９とゴミ籠４の籠底部材１４を係脱可能に連結するクラッチ手段の構成を示したものである。
図１１は、回転軸９の上端部の拡大図であり、回転軸９の上端には、平面視等間隔で４本のアーム９ａ，９ａ，９ａ，９ａが水平状に設けられ、各アーム９ａの外端側には上方へ突出して係合凸部９ｂがそれぞれ設けられている。
【００２９】
一方、ゴミ籠４の底面に固設された籠底部材１４は、図１３の拡大図で、また図１４の底面図で、また図１５の縦断面図で示すような構造となっている。
籠底部材１４は、中央部に中央開口１４ｅを有するドーナツ状の底円板部１４ａから、平面視等間隔で４個の垂下部１４ｂ，１４ｂ，１４ｂ，１４ｂが下方へ突出形成されており、各垂下部１４ｂの底面には、横方向にアーム係合溝１４ｃが凹み状に形成され、さらにアーム係合溝１４ｃの外端には、上方へ凹ませて係合凹部１４ｄが形成されている。
この籠底部材１４の各アーム係合溝１４ｃ内に、回転軸９側の各アーム９ａを嵌め込むことができ、さらに、籠底部材１４の各係合凹部１４ｄ内に、回転軸９側の各係合凸部９ｂを嵌め込むことができるように構成されている。
【００３０】
ゴミ籠４内には予め不織布製のゴミ袋が内周に配置され、その中に生ゴミや濡れたゴミＤが収納され、図７の状態（各アーム係合溝１４ｃ内に各アーム９が嵌め込まれ、各係合凹部１４ｄ内に各係合凸部９ｂが嵌め込まれている）でモーター１０が駆動されると、回転軸９の回転によりファン１３と共にゴミ籠４が高速回転される。
ゴミ籠４が高速回転されると、ゴミＤの水分は遠心力によりゴミ籠４の外側へ飛散し、この飛散した水分は、ファン１３の高速回転でケース体３の内周面３ａに沿って接線方向に開口された排水口３ｂに押し出されてゆく空気の流れにより、確実かつ良好に排水口３ｂから排出されるものである。なお、排水口３ｂにはキッチンのシンク側へ排水できるようにホース等を接続しておくこともできる。
このように効率良くゴミＤの水分を除去した後には、手で掴んでもストレスを感じない乾いたゴミとなるため、蓋８を開けて、ゴミ籠４内のゴミをゴミ袋と共に取り出し、不快感なく廃棄することができものである。
【００３１】
なお、ゴミ籠４は高速回転する際に、ガイドリング１５と４個のベアリング８ｃにより暴れることなく良好に高速回転されるものである。このゴミ籠４が高速回転される脱水時には、ホース１２を介して空気がケース体３内に吸引されるが、ゴミ籠４の回転によりゴミ籠４の底面で空気の流れは遮蔽されて吸引力は弱いものとなる。
【００３２】
生ゴミや濡れたゴミ、その他、キッチンカウンター上の水分等をゴミ籠４内に吸引する際には、吸引力を高めるためにゴミ籠４は回転されず、ファン１３のみが回転される。即ち、吸引時には図１６に示すように、左右側方に突出したレバー１６，１６を下方側へ手で押し下げることにより、ケース体３内の押し上げバー１７が上方へ押し上げられ、これにより、固定板７に連結されたゴミ籠４がケース体３内で上方へ持ち上げられることとなる。なお、蓋８とゴミ籠４の上面間には上下方向に空間Ｓが形成されており、この空間Ｓ内でゴミ籠４は上方へ持ち上げられる。
レバー１６の操作でゴミ籠４が持ち上げられた状態では、回転軸９側の４本のアーム９ａおよび４個の係合凸部９ｂがゴミ籠４側の各アーム係合溝１４ｃおよび係合凹部１４ｄから抜けて離反された状態となる。従って、この図１６の状態では、回転軸９が回転しても回転力はゴミ籠４には伝わらず、ファン１３のみが高速回転されることとなる。
【００３３】
吸引時にファン１３のみが高速回転されることにより、空気はホース１２からケース体３内に吸い込まれ、空気は、ゴミ籠４の底面の通水孔および籠底部材１４の中央開口１４ｅを通り、下方側のファン１３の上面開口１３ｅへ吸い込まれて、ファン１３の羽根１３ｃの回転で空気はケース体３の内周面３ａに沿って接線方向に開口された排水口３ｂから効率良く排出される。このため、ゴミ籠４が障壁とはならず、空気は強力にホース１２からゴミ籠４内に吸い込まれることとなり、これにより生ゴミや濡れたゴミをホース１２から強力にゴミ籠４内に吸い込んで、ゴミ籠４内に生ゴミ等を良好に収納させることができる。
なお、ホース１２は適宜長いものにしておけば、キッチンのカウンターの上面の水分やゴミ等、その他、掃除しにくいキッチン周辺の隙間部分のゴミ等や、床面のゴミや水分等も強力に吸引してゴミ籠４内に入れることができるものとなる。
【００３４】
このように本例では、回転軸９と同軸状にファン１３とゴミ籠４が配置されているため、吸引時にファン１３の回転により発生する空気の流れがゴミ籠４の内部を通るため、吸引したゴミを確実にゴミ籠４内に捕集することができるものとなり、吸引時にはゴミ籠４は回転しないためにゴミ籠４の底部による空気の流れの遮断がなくなり、効率良くゴミ等を吸引できるものとなる。
【００３５】
なお、本例では、回転軸９側のアーム９ａと係合凸部９ｂと、ゴミ籠４側のアーム係合溝１４ｃと係合凹部１４ｄと、レバー１６，押し上げバー１７で、回転軸９とゴミ籠４の連結を遮断できるクラッチ手段を構成したが、クラッチ手段は、図１７および図１８の底面要部拡大図で示すような構造を採用することもできる。
【００３６】
即ち、図１７にゴミ籠４を底面側から視た概略図で示すように、ゴミ籠４の底面中央部には底円板部１４ａが固設され、底円板部１４ａには、垂下状に設けられた軸１９ａを中心として水平面内で揺動可能に係脱爪部材１９が設けられている。一方、回転軸９の上端には回転軸ラック１８が固定され、この回転軸ラック１８の外周にはノコ歯状の複数の係合歯１８ａが形成されている。
【００３７】
回転軸９の回転により回転軸ラック１８はゴミ籠４の底側の底円板部１４ａの下方で回転するが、図１７の矢印で示す逆回転方向の回転状態では、回転軸ラック１８の外周の係合歯１８ａに係脱爪部材１９の先端が係合し、これにより回転軸９の回転力は底板部１４ａを介してゴミ籠４に伝達されて、ゴミ籠４がファン１３と共に高速回転されることとなる。これにより、ゴミ籠４内に収納されている生ゴミ等が高速回転により脱水されることとなり、この時にはゴミ籠４の底側にある通水孔が回転により遮蔽板のようになり、空気の吸引は少ないものとなる。
【００３８】
逆に、図１８に示す矢印方向、即ち正回転方向に回転軸９が回転される吸引時には、回転軸ラック１８の外周の係合歯１８ａは係脱爪部材１９の先端に摺接するのみで、係脱爪部材１９が係合歯１８ａに噛み込むことはないため、回転軸９の回転力はゴミ籠４には伝達されず、ファン１３のみが高速回転されることとなる。これにより、ゴミ籠４の底部により空気の流れが遮蔽されることなく、ファン１３の回転により空気がホース１２を介してゴミ籠４内に吸い込まれて、良好にゴミ籠４内に生ゴミ等が吸い込まれて収納されることとなる。
なお、この図１７，図１８で示すような構造のクラッチ手段を用いた場合には、レバー１６等は不要となり、モーター１０の回転方向を変えることで「脱水」と「吸引」モードを切り替えることができるものとなる。
【符号の説明】
【００３９】
１  掃除脱水機
２  機台
３  ケース体
３ａ  内周面
３ｂ  排水口
４  ゴミ籠
４ａ  嵌合凹部
５  羽根
７  固定板
８  蓋
８ａ  回転軸
８ｂ  支持軸
８ｃ  ベアリング
９  回転軸
９ａ  アーム
９ｂ  係合凸部
１０  モーター
１１  コンセントプラグ
１２  ホース
１３  ファン
１３ａ  上円板
１３ｂ  下円板
１３ｃ  羽根
１３ｅ  上面開口
１４  籠底部材
１４ａ  底円板部
１４ｂ  垂下部
１４ｃ  アーム係合溝
１４ｄ  係合凹部
１５  ガイドリング
１６  レバー
１７  押し上げバー
１８  回転軸ラック
１８ａ  係合歯
１９  係脱爪部材
Ｓ  空間
【図１】
2011031015.tif 000003
【図２】
2011031015.tif 000004
【図３】
2011031015.tif 000005
【図４】
2011031015.tif 000006
【図５】
2011031015.tif 000007
【図６】
2011031015.tif 000008
【図７】
2011031015.tif 000009
【図８】
2011031015.tif 000010
【図９】
2011031015.tif 000011
【図１０】
2011031015.tif 000012
【図１１】
2011031015.tif 000013
【図１２】
2011031015.tif 000014
【図１３】
2011031015.tif 000015
【図１４】
2011031015.tif 000016
【図１５】
2011031015.tif 000017
【図１６】
2011031015.tif 000018
【図１７】
2011031015.tif 000019
【図１８】
2011031015.tif 000020